(57)【要約】      （修正有）【課題】短い光学全長と大きな絞りを備え、良好な感度表現を有する撮像光学レンズを提供する。【解決手段】撮像光学レンズ１０は、物体側から像側まで、順次に、絞りと、正屈折力を有する第１のレンズＬ１と、負屈折力を有する第２のレンズＬ２と、負屈折力を有する第３のレンズＬ３と、正屈折力を有する第４のレンズＬ４と、負屈折力を有する第５のレンズＬ５とを備え、各レンズの焦点距離、第３のレンズの屈折率、アッベ数、厚さ、第４のレンズの屈折率、厚さ、及び撮像光学レンズの光学全長が所定の関係式を満たしている。【選択図】図１
2018097340.tif 000002
【特許請求の範囲】
【請求項１】
撮像光学レンズであって、
物体側から像側まで、順次に、絞りと、正屈折力を有する第１のレンズと、負屈折力を有する第２のレンズと、負屈折力を有する第３のレンズと、正屈折力を有する第４のレンズと、負屈折力を有する第５のレンズとを備え、
撮像光学レンズ全体の焦点距離はｆであり、前記第１のレンズの焦点距離はｆ１であり、前記第２のレンズの焦点距離はｆ２であり、前記第３のレンズの焦点距離はｆ３であり、前記第４のレンズの焦点距離はｆ４であり、前記第５のレンズの焦点距離はｆ５であり、
０．７０＜ｆ１／ｆ＜０．８０、−２．０＜ｆ２／ｆ＜−１．７、
−１４＜ｆ３／ｆ＜−１０、０．５９＜ｆ４／ｆ＜０．６２、
−０．５２＜ｆ５／ｆ＜−０．４８、
１．０９＜(ｆ３−ｆ４)／(ｆ３＋ｆ４) ＜１．１２という関係式を満たし、
前記第３のレンズのアッベ数はｖ３であり、前記第３のレンズの屈折率はｎ３であり、前記第４のレンズの屈折率はｎ４であり、前記第３のレンズの厚さはＴ３であり、前記撮像光学レンズの光学全長はＴＴＬであり、前記第４のレンズの厚さはＴ４であり、以下の関係式を満たすことを特徴とする撮像光学レンズ。
１７＜ｖ３／ｎ３＜２０、１．０８＜ｎ３／ｎ４＜１．２０、
０．０３５＜Ｔ３／ＴＴＬ＜０．０５、０．２０＜Ｔ３／Ｔ４＜０．２８。
【請求項２】
前記第１のレンズの焦点距離ｆ１、前記第２のレンズの焦点距離ｆ２、前記第３のレンズの焦点距離ｆ３、前記第４のレンズの焦点距離ｆ４、及び前記第５のレンズの焦点距離ｆ５は、以下の関係式を満たすことを特徴とする請求項１に記載の撮像光学レンズ。
２．８＜ｆ１ ＜３．０、−７．５＜ｆ２ ＜−６．７、
−５２＜ｆ３＜−４１、２．２＜ｆ４＜２．４、
−１．９＜ｆ５＜−２．０。
【請求項３】
前記第３のレンズの屈折率ｎ３は、ｎ３＞１．６７という関係式を満たすこ  とを特徴とする請求項１に記載の撮像光学レンズ。
【請求項４】
前記第１のレンズの屈折率ｎ１、前記第２のレンズの屈折率ｎ２、前記第３のレンズの屈折率ｎ３、前記第４のレンズの屈折率ｎ４、及び前記第５のレンズの屈折率ｎ５は、以下の関係式を満たすことを特徴とする請求項１に記載の撮像光学レンズ。
１．５２＜ｎ１＜１．５６、１．６３＜ｎ２＜１．６８、
１．６８＜ｎ３＜１．７２、１．５２＜ｎ４＜１．５６、
１．５２＜ｎ５＜１．５６。 
【請求項５】
前記第１のレンズのアッベ数ｖ１、前記第２のレンズのアッベ数ｖ２、前記第３のレンズのアッベ数ｖ３、前記第４のレンズのアッベ数ｖ４、及び前記第５のレンズのアッベ数ｖ５は、以下の関係式を満たすことを特徴とする請求項１に記載の撮像光学レンズ。
５０＜ｖ１＜６０、２０＜ｖ２ ＜２３、
３０＜ｖ３＜３２、５０＜ｖ４＜６０、５０＜ｖ５＜６０。
【請求項６】
撮像光学レンズの光学全長ＴＴＬは、４．４ｍｍ≦ＴＴＬ≦４．５ｍｍという関係式を満たすことを特徴とする請求項１に記載の撮像光学レンズ。
【請求項７】
撮像光学レンズの絞りＦ値は、２．０８以下であることを特徴とする請求項１に記載の撮像光学レンズ。
【請求項８】
前記第１のレンズのアッベ数ｖ１、及び前記第３のレンズのアッベ数ｖ３は、１８＜Ｖ１−Ｖ３＜２８という係式を満たすことを特徴とする請求項１に記載の撮像光学レンズ。
【請求項９】
前記第２のレンズの厚さＴ２、及び第３のレンズの厚さＴ３は、１．１０＜Ｔ２／Ｔ３＜１．２０という関係式を満たすことを特徴とする請求項１に記載の撮像光学レンズ。
【請求項１０】
前記第１のレンズ、前記第２のレンズ、前記第４のレンズ及び前記第５のレンズの材質は、ブラスチックであり、前記第３のレンズの材質は、ガラスであることを特徴とする請求項１に記載の撮像光学レンズ。
【発明の詳細な説明】
【技術分野】
【０００１】
本発明は、光学レンズの分野に関し、特に、スマートフォン、デジタルカメラなどの携帯端末設備、及びモニタ、ＰＣレンズなどの撮像装置に適用する撮像光学レンズに関する。
【背景技術】
【０００２】
近年、スマートフォンの発展に伴って、小型撮像レンズのニードゥが日々高くなっており、一般的な撮像レンズの感光素子は、感光結合素子（Ｃｈａｒｇｅ Ｃｏｕｐｌｅｄ Ｄｅｖｉｃｅ, ＣＣＤ）又は相補性金属酸化導体素子（Ｃｏｍｐｌｅｍｅｎｔａｒｙ Ｍｅｔａｌ−Ｏｘｉｄｅ  Ｓｅｍｉｃｏｎｄｃｔｏｒ Ｓｅｎｓｏｒ, ＣＭＯＳ Ｓｅｎｓｏｒ）の２種類しかほかない。また、半導体製造プロセス技術の進歩に伴って、感光素子の画素サイズが小さくなり、その上、現在の電子製品は、機能が優れ且つ薄型でコンパクトであるという外形を発展傾向としているため、良好な結像品質を有する小型化撮像レンズは、既に現在市場での主流となっている。
【０００３】
良好な結像品質を得るために、従来技術において携帯電話のカメラに搭載されたレンズは殆ど三枚式又は四枚式のレンズ構造を採用している。しかしながら、技術の発展及びユーザの多様化の要求の増加に伴って、感光素子の画素面積が小さくなりつつあり、システムの結像品質に対する要求が高まりつつある場合、五枚式レンズ構造が徐々にレンズ設計において現れた。しかし、通常の五枚式のレンズは、低ＴＴＬ（Ｔｏｔａｌ Ｔｒａｃｋ Ｌｅｎｇｔｈ、光学全長）及び大絞りの設計要求を満たすことができない。
【発明の概要】
【発明が解決しようとする課題】
【０００４】
上記の課題に対して、本発明は、低ＴＴＬと大絞りとの設計要求を満たすことができ、良好な感度表現を有する撮像光学レンズを提供することを目的としている。
【課題を解決するための手段】
【０００５】
上記技術的課題を解決するために、本発明に係る実施形態は、撮像光学レンズを提供している。その撮像光学レンズは、物体側から像側まで、順次に、絞りと、正屈折力を有する第１のレンズと、負屈折力を有する第２のレンズと、負屈折力を有する第３のレンズと、正屈折力を有する第４のレンズと、負屈折力を有する第５のレンズとを備え、撮像光学レンズ全体の焦点距離はｆであり、前記第１のレンズの焦点距離はｆ１であり、前記第２のレンズの焦点距離はｆ２であり、前記第３のレンズの焦点距離はｆ３であり、前記第４のレンズの焦点距離はｆ４であり、前記第５のレンズの焦点距離はｆ５であり、０．７０＜ｆ１／ｆ＜０．８０、−２．０＜ｆ２／ｆ＜−１．７、−１４＜ｆ３／ｆ＜−１０、０．５９＜ｆ４／ｆ＜０．６２、−０．５２＜ｆ５／ｆ＜−０．４８、１．０９＜(ｆ３−ｆ４)／(ｆ３＋ｆ４) ＜１．１２という関係式を満たし、前記第３のレンズのアッベ数はｖ３であり、前記第３のレンズの屈折率はｎ３であり、前記第４のレンズの屈折率はｎ４であり、前記第３のレンズの厚さはＴ３であり、前記撮像光学レンズの光学全長はＴＴＬであり、前記第４のレンズの厚さはＴ４であり、以下の関係式を満たす。１７＜ｖ３／ｎ３＜２０、１．０８＜ｎ３／ｎ４＜１．２０、０．０３５＜Ｔ３／ＴＴＬ＜０．０５、０．２０＜Ｔ３／Ｔ４＜０．２８。
【０００６】
本発明の実施形態は、従来技術に対して、上記レンズの配置形態により、異なる屈折力と焦点距離を有するレンズを有効的に利用して収差を補正することにより結像品質を高めることができるだけでなく、当該撮像光学レンズの光学全長を短縮すると共に、大きな絞りの設計要求を満足し、良好な感度表現を有することができる。
【０００７】
また、前記第１のレンズの焦点距離ｆ１、前記第２のレンズの焦点距離ｆ２、前記第３のレンズの焦点距離ｆ３、前記第４のレンズの焦点距離ｆ４、及び前記第５のレンズの焦点距離ｆ５は、以下の関係式を満たす。２．８＜ｆ１＜３．０、−７．５＜ｆ２＜−６．７、−５２＜ｆ３＜−４１、２．２＜ｆ４＜２．４、−１．９＜ｆ５＜−２．０。
【０００８】
また、前記第３のレンズの屈折率ｎ３は、ｎ３＞１．６７という関係式を満たす。
【０００９】
また、前記第１のレンズの屈折率ｎ１、前記第２のレンズの屈折率ｎ２、前記第３のレンズの屈折率ｎ３、前記第４のレンズの屈折率ｎ４、及び前記第５のレンズの屈折率ｎ５は、以下の関係式を満たす。１．５２＜ｎ１＜１．５６、１．６３＜ｎ２＜１．６８、１．６８＜ｎ３＜１．７２、１．５２＜ｎ４＜１．５６、  １．５２＜ｎ５＜１．５６。
【００１０】
また、前記第１のレンズのアッベ数ｖ１、前記第２のレンズのアッベ数ｖ２、前記第３のレンズのアッベ数ｖ３、前記第４のレンズのアッベ数ｖ４、及び前記第５のレンズのアッベ数ｖ５は、以下の関係式を満たす。５０＜ｖ１＜６０、２０＜ｖ２＜２３、３０＜ｖ３＜３２、５０＜ｖ４＜６０、５０＜ｖ５＜６０。
【００１１】
また、撮像光学レンズの光学全長ＴＴＬは、４．４ｍｍ ≦ＴＴＬ≦４．５ｍｍという関係式を満たす。
【００１２】
また、撮像光学レンズの絞りＦ値は、２．０８以下である。
【００１３】
また、前記第１のレンズのアッベ数ｖ１、及び前記第３のレンズのアッベ数ｖ３は、１８＜Ｖ１−Ｖ３＜２８という関係式を満たす。
【００１４】
また、前記第２のレンズの厚さＴ２、及び第３のレンズの厚さＴ３は、１．１０＜Ｔ２／Ｔ３＜１．２０という関係式を満たす。
【００１５】
また、前記第１のレンズ、前記第２のレンズ、前記第４のレンズ及び前記第５のレンズの材質は、ブラスチックであり、前記第３のレンズの材質は、ガラスである。
【図面の簡単な説明】
【００１６】
【図１】本発明の第１実施形態に係る撮像光学レンズの構成を示す模式図である。
【図２】図１に示す撮像光学レンズの軸上色収差を示す模式図である。
【図３】図１に示す撮像光学レンズの倍率色収差を示す模式図である。
【図４】図１に示す撮像光学レンズの非点収差、像面湾曲及び歪曲を示す模式図である。
【図５】本発明の第２実施形態に係る撮像光学レンズの構成を示す模式図である。
【図６】図５に示す撮像光学レンズの軸上色収差を示す模式図である。
【図７】図５に示す撮像光学レンズの倍率色収差を示す模式図である。
【図８】図５に示す撮像光学レンズの非点収差、像面湾曲及び歪曲を示す模式図である。
【発明を実施するための形態】
【００１７】
本発明の目的、技術案及びメリットをより明確にするために、以下、図面を参照しながら、本発明の各実施形態を詳しく説明する。しかしながら、当業者にとって明らかなように、本発明の各実施形態において、読者に本発明をより良く理解させるために、多くの技術的詳細を提供している。しかし、これらの技術的詳細及び以下の各実施形態に基づく各種の変化と補正がなくても、本発明の保護しようとする技術案も実現することができる。
【００１８】
図面を参照し、本発明は、撮像光学レンズを提供している。図１に示すのは、本発明の第１実施例に係る撮像光学レンズ１０であり、当該撮像光学レンズ１０は、五枚のレンズを含む。具体的には、前記撮像光学レンズ１０は、物体側から像側まで順次に、絞りＳｔ、第１のレンズＬ１、第２のレンズＬ２、第３のレンズＬ３、第４のレンズＬ４、及び第５のレンズＬ５を備える。第５のレンズＬ５と像面Ｓｉとの間には、光学フィルター（ｆｉｌｔｅｒ）ＧＦなどの光学素子が設けられてもよい。
【００１９】
第１のレンズＬ１は、正屈折力を有し、その物体側面が外へ突出し凸面になり、絞りＳｔは、被写体と第１のレンズＬ１との間に設けられ、第１のレンズＬ１の物体側面における外へ突出する凸面と協力し、撮像光学レンズ１０の光学全長を有効的に減少することができる。第２のレンズＬ２は、負屈折力を有し、本実施例において、第２のレンズＬ２の像側面は凹面である。第３のレンズＬ３は、負屈折力を有し、本実施例において、第３のレンズＬ３の物体側面と像側面は何れも凹面である。第４のレンズＬ４は、正屈折力を有し、第１のレンズＬ１の正屈折力は正屈折力を有する第４のレンズＬ４に割り当てることができるため、さらにシステムの感度を低下させる。本実施例において、第４のレンズＬ４は物体側面が凹面であり、像側面が凸面である。第５のレンズＬ５は、負屈折力を有し、システムの像面湾曲を有効的に減少することができる。本実施例において、第５のレンズＬ５は物体側面が凹面であり、像側面も凹面である。
【００２０】
ここで、撮像光学レンズ１０全体の焦点距離はｆであり、前記第１のレンズＬ１の焦点距離はｆ１であり、前記第２のレンズＬ２の焦点距離はｆ２であり、前記第３のレンズＬ３の焦点距離はｆ３であり、前記第４のレンズＬ４の焦点距離はｆ４であり、前記第５のレンズＬ５の焦点距離はｆ５であるように設定する。前記ｆ、ｆ１、ｆ２、ｆ３、ｆ４及びｆ５は、以下の関係式を満たす。０．７０＜ｆ１／ｆ＜０．８０、−２．０＜ｆ２／ｆ＜−１．７、−１４＜ｆ３／ｆ＜−１０、０．５９＜ｆ４／ｆ＜０．６２、−０．５２＜ｆ５／ｆ＜−０．４８、１．０９＜(ｆ３−ｆ４)／(ｆ３＋ｆ４) ＜１．１２。また、前記第３のレンズのアッベ数はｖ３であり、前記第３のレンズの屈折率はｎ３であり、前記第４のレンズの屈折率はｎ４であり、前記第３のレンズの厚さはＴ３であり、前記撮像光学レンズの光学全長はＴＴＬであり、前記第４のレンズの厚さはＴ４であるように設定する。前記ｖ３、ｎ３、ｎ４、Ｔ３、ＴＴＬ、Ｔ４は、以下の関係式を満たす。１７＜ｖ３／ｎ３＜２０、１．０８＜ｎ３／ｎ４＜１．２０、０．０３５＜Ｔ３／ＴＴＬ＜０．０５、０．２０＜Ｔ３／Ｔ４＜０．２８。
【００２１】
本発明に係る撮像光学レンズ１０の焦点距離及び各レンズの焦点距離が上記関係式を満たす場合、各レンズの屈折力の大きさの配置を制御・調整することができ、収差を補正することにより結像品質を保証すると同時に、システムの光学全長を有効的に制御すると共に、大きな絞りの設計要求を満たすことに適用し、良好な感度表現を有し、高画素の携帯型撮像装置に適する。
【００２２】
具体的には、本発明の実施例において、前記第１のレンズの焦点距離ｆ１、前記第２のレンズの焦点距離ｆ２、前記第３のレンズの焦点距離ｆ３、前記第４のレンズの焦点距離ｆ４、前記第５のレンズの焦点距離ｆ５は、以下の関係式を満たすように設計することができる。２．８＜ｆ１＜３．０、−７．５＜ｆ２＜−６．７、−５２＜ｆ３＜−４１、２．２＜ｆ４＜２．４、−１．９＜ｆ５＜−２．０、単位：ミリメートル（ｍｍ）。このように設計すれば、撮像光学レンズ１０全体の光学全長度ＴＴＬをより短くし、システム小型化の特性を維持することができる。
【００２３】
好ましくは、本発明の実施例に係る前記撮像光学レンズ１０の光学全長ＴＴＬは、４．４ｍｍ≦ＴＴＬ≦４．５ｍｍという関係式を満たす。このように設計すれば、撮像光学レンズ１０の大きな絞り設計を実現することに有利である。好ましくは、本発明の実施例において、撮像光学レンズの絞りＦ値は、２．０８以下であり、前記撮像光学レンズ１０は大口径比を有する光学システムであり、低照度環境における結像性能を向上させることができる。
【００２４】
前記各レンズの材質は、ガラスまたはブラスチックであってもよい。本発明の撮像光学レンズ１０において、第３のレンズＬ３の材質は、ガラスであり、本発明の光学システムの屈折力配置の自由度を増加させることができ、第１のレンズＬ１、第２のレンズＬ２、第４のレンズＬ４及び第５のレンズＬ５の材質はブラスチックであり、製造コストを有効的に低下させることができる。
【００２５】
好ましくは、本実施例において、前記第３のレンズの屈折率ｎ３は、ｎ３＞１．６７という関係式を満たす。さらに、本発明の好ましい実施例において、前記第１のレンズの屈折率ｎ１、前記第２のレンズの屈折率ｎ２、前記第３のレンズの屈折率ｎ３、前記第４のレンズの屈折率ｎ４、及び前記第５のレンズの屈折率ｎ５は、以下の関係式を満たす。１．５２＜ｎ１＜１．５６、１．６３＜ｎ２＜１．６８、１．６８＜ｎ３＜１．７２、１．５２＜ｎ４＜１．５６、１．５２＜ｎ５＜１．５６。このように設計すれば、レンズは光学ブラスチック材質において比較的に適当にマッチングされることに有利であり、更に、この撮像光学レンズ１０はより良い結像品質を得ることができる。
【００２６】
なお、本発明の実施例において、前記第１のレンズのアッベ数ｖ１、前記第２のレンズのアッベ数ｖ２、前記第３のレンズのアッベ数ｖ３、前記第４のレンズのアッベ数ｖ４、及び前記第５のレンズのアッベ数ｖ５は、以下の関係式を満たすように設計することができる。５０＜ｖ１＜６０、２０＜ｖ２＜２３、３０＜ｖ３＜３２、５０＜ｖ４＜６０、５０＜ｖ５＜６０。このように設計すれば、撮像光学レンズ１０の結像時の光学色収差現象を効果的に抑制することができる。
【００２７】
また、上記各レンズの屈折率の設計案とアッベ数の設計案は、相互に組み合わせて撮像光学レンズ１０の設計に応用することができる。このように、前記第２のレンズＬ２と第３のレンズＬ３は、高屈折率で低アッベ数の光学材料を採用して製造され、システムの色収差を有効的に低減することができ、撮像光学レンズ１０の結像品質を大幅に向上させることができる。
【００２８】
また、レンズの表面は、非球面とされてもよく、非球面は、球面以外の形状に製造され易く、多くの制御変量を得て、収差を削減し、更にレンズの使用数を削減することができるため、本発明の撮像光学レンズの全長を効果的に短縮することができる。本発明の実施例において、各レンズの物体側面と像側面は何れも非球面である。
【００２９】
好ましくは、前記レンズの物体側面及び／又は像側面には、高品質の結像要求を満たすために、更に変曲点及び／又は停留点が設けられてもよく、具体的な実施可能な形態は、以下の通りである。
【００３０】
以下、本発明の実施例１に係る撮像光学レンズ１０の設計データが示されている。
【００３１】
表１、表２には、本発明の実施例１に係る撮像光学レンズ１０のデータが示されている。
【００３２】
【表１】
2018097340.tif 000003
ただし、各符号の意味は以下の通りである。
ｆは撮像光学レンズ１０の焦点距離であり、
ｆ１は第１のレンズＬ１の焦点距離であり、
ｆ２は第２のレンズＬ２の焦点距離であり、
ｆ３は第３のレンズＬ３の焦点距離であり、
ｆ４は第４のレンズＬ４の焦点距離であり、
ｆ５は第５のレンズＬ５の焦点距離である。
【００３３】
【表２】
2018097340.tif 000004
ただし、Ｓｔは、絞りであり、Ｒ１、Ｒ２は、第１のレンズＬ１の物体側面、像側面であり、Ｒ３、Ｒ４は、第２のレンズＬ２の物体側面、像側面、Ｒ５、Ｒ６は第３のレンズＬ３の物体側面、像側面であり、Ｒ７、Ｒ８は第４のレンズＬ４の物体側面、像側面であり、Ｒ９、Ｒ１０は第５のレンズＬ５の物体側面、像側面であり、Ｒ１１、Ｒ１２は光学フィルターＧＦの物体側面、像側面であり、その他の各符号の意味は以下の通りである。
ｄ０は絞りＳｔから第１のレンズＬ１の物体側面までの軸上距離であり、
ｄ１は第１のレンズＬ１の軸上厚さであり、
ｄ２は第１のレンズＬ１の像側面から第２のレンズＬ２の物体側面までの軸上距離であり、
ｄ３は第２のレンズＬ２の軸上厚さであり、
ｄ４は第２のレンズＬ２の像側面から第３のレンズＬ３の物体側面までの軸上距離であり、
ｄ５は第３のレンズＬ３の軸上厚さであり、
ｄ６は第３のレンズＬ３の像側面から第４のレンズＬ４の物体側面までの軸上距離であり、
ｄ７は第４のレンズＬ４の軸上厚さであり、
ｄ８は第４のレンズＬ４の像側面から第５のレンズＬ５の物体側面までの軸上距離であり、
ｄ９は第５のレンズＬ５の軸上厚さであり、
ｄ１０は第５のレンズＬ５の像側面から光学フィルターＧＦの物体側面までの軸上距離であり、
ｄ１１は光学フィルターＧＦの軸上厚さであり、
ｄ１２は光学フィルターＧＦの像側面から像面までの軸上距離であり、
ｎｄ１は第１のレンズＬ１の屈折率であり、
ｎｄ２は第２のレンズＬ２の屈折率であり、
ｎｄ３は第３のレンズＬ３の屈折率であり、
ｎｄ４は第４のレンズＬ４の屈折率であり、
ｎｄ５は第５のレンズＬ５の屈折率であり、
ｎｄｇは光学フィルターＧＦの屈折率であり、
ｖ１は第１のレンズＬ１のアッベ数であり、
ｖ２は第２のレンズＬ２のアッベ数であり、
ｖ３は第３のレンズＬ３のアッベ数であり、
ｖ４は第４のレンズＬ４のアッベ数であり、
ｖ５は第５のレンズＬ５のアッベ数であり、
ｖｇは光学フィルターＧＦのアッベ数である。
【００３４】
表３は、本発明の実施例１に係る撮像光学レンズ１０におけるそれぞれのレンズの非球面データである。
【００３５】
【表３】
2018097340.tif 000005
【００３６】
表４、表５には、本発明の実施例１に係る撮像光学レンズ１０における各レンズの変曲点及び停留点の設計データが示されている。ただし、Ｒ１、Ｒ２はそれぞれ第１のレンズＬ１の物体側面と像側面を表示し、Ｒ３、Ｒ４はそれぞれ第２のレンズＬ２の物体側面と像側面を表示し、Ｒ５、Ｒ６はそれぞれ第３のレンズＬ３の物体側面と像側面を表示し、Ｒ７、Ｒ８はそれぞれ第４のレンズＬ４の物体側面と像側面を表示し、Ｒ９、Ｒ１０はそれぞれ第５のレンズＬ５の物体側面と像側面を表示する。「変曲点位置」の欄における対応するデータは、各レンズ表面に設けられた変曲点から撮像光学レンズ１０の光軸までの垂直距離である。「停留点位置」の欄における対応するデータは、各レンズ表面に設けられた停留点から撮像光学レンズ１０の光軸までの垂直距離である。
【００３７】
【表４】
2018097340.tif 000006
【００３８】
【表５】
2018097340.tif 000007
【００３９】
図２、図３は、それぞれ、波長４８６ｎｍ、５８８ｎｍ及び６５６ｎｍの光が実施例１の撮像光学レンズ１０を経った後の軸上色収差及び倍率色収差の模式図である。図４は、波長５８８ｎｍの光が実施例１の撮像光学レンズ１０を経った後の非点収差、像面湾曲及び歪曲の模式図である。
【００４０】
以下、表６は、上記条件式に基づいて、本実施例における各条件式に対応する値が挙げられている。明らかに、本実施例の撮像光学システムは、上記の条件式を満たす。
【００４１】
【表６】
2018097340.tif 000008
【００４２】
本実施例において、撮像光学レンズ１０の入射瞳径は１．８５ｍｍであり、全視野像高は３．２６１ｍｍであり、対角線方向の画角は７９．９７°である。
【００４３】
図５は、本発明の第２実施形態に係る撮像光学レンズ２０の構成を示す模式図である。以下、本発明の実施例２に係る撮像光学レンズ２０の設計データが示されている。
【００４４】
表７、表８には、本発明の実施例２に係る撮像光学レンズ２０のデータが示されており、ただし、各符号の意味は、実施例１と同じである。
【００４５】
【表７】
2018097340.tif 000009
【００４６】
【表８】
2018097340.tif 000010
【００４７】
表９には、本発明の実施例２に係る撮像光学レンズ２０における各レンズの非球面データが示されている。
【００４８】
【表９】
2018097340.tif 000011
【００４９】
表１０、表１１には、本発明の実施例２に係る撮像光学レンズ２０における各レンズの変曲点及び停留点の設計データが示されている。ただし、Ｒ１、Ｒ２はそれぞれ第１のレンズＬ１の物体側面と像側面を表示し、Ｒ３、Ｒ４はそれぞれ第２のレンズＬ２の物体側面と像側面を表示し、Ｒ５、Ｒ６はそれぞれ第３のレンズＬ３の物体側面と像側面を表示し、Ｒ７、Ｒ８はそれぞれ第４のレンズＬ４の物体側面と像側面を表示し、Ｒ９、Ｒ１０はそれぞれ第５のレンズＬ５の物体側面と像側面を表示する。「変曲点位置」の欄における対応するデータは、各レンズ表面に設けられた変曲点から撮像光学レンズ１０の光軸までの垂直距離である。「停留点位置」の欄における対応するデータは、各レンズ表面に設けられた停留点から撮像光学レンズ１０の光軸までの垂直距離である。
【００５０】
【表１０】
2018097340.tif 000012
【００５１】
【表１１】
2018097340.tif 000013
【００５２】
図６、図７は、それぞれ波長４８６ｎｍ、５８８ｎｍ及び６５６ｎｍの光が実施例２の撮像光学レンズ２０を経った後の軸上色収差及び倍率色収差の模式図である。図８は、波長５８８ｎｍの光が実施例２の撮像光学レンズ２０を経った後の非点収差、像面湾曲及び歪曲の模式図である。
【００５３】
以下、表１２には、上記条件式に基づいて、本実施例における対応する各条件式の値が挙げられている。明らかに、本実施例の撮像光学システムは上記の条件式を満たす。
【００５４】
【表１２】
2018097340.tif 000014
【００５５】
本実施例２において、前記撮像光学レンズの入射瞳径は、１．８６ｍｍであり、全視野の像高は３．２６１ｍｍであり、対角線方向の画角は７９．４６°である。
【００５６】
当業者にとって明らかなように、上記各実施形態は、本発明を実現する具体的な実施例であり、実際な応用時に、本発明の精神と範囲から逸脱しない限り、形態や細部において各種の変更を行うことができる。
【図１】
2018097340.tif 000015
【図２】
2018097340.tif 000016
【図３】
2018097340.tif 000017
【図４】
2018097340.tif 000018
【図５】
2018097340.tif 000019
【図６】
2018097340.tif 000020
【図７】
2018097340.tif 000021
【図８】
2018097340.tif 000022
【手続補正書】
【提出日】平成30年2月12日(2018.2.12)
【手続補正１】
【補正対象書類名】特許請求の範囲
【補正対象項目名】全文
【補正方法】変更
【補正の内容】
【特許請求の範囲】
【請求項１】
撮像光学レンズであって、
物体側から像側まで、順次に、絞りと、正屈折力を有する第１のレンズと、負屈折力を有する第２のレンズと、負屈折力を有する第３のレンズと、正屈折力を有する第４のレンズと、負屈折力を有する第５のレンズから構成され、
撮像光学レンズ全体の焦点距離はｆであり、前記第１のレンズの焦点距離はｆ１であり、前記第２のレンズの焦点距離はｆ２であり、前記第３のレンズの焦点距離はｆ３であり、前記第４のレンズの焦点距離はｆ４であり、前記第５のレンズの焦点距離はｆ５であり、
０．７０＜ｆ１／ｆ＜０．８０、−２．０＜ｆ２／ｆ＜−１．７、
−１４＜ｆ３／ｆ＜−１０、０．５９＜ｆ４／ｆ＜０．６２、
−０．５２＜ｆ５／ｆ＜−０．４８、
１．０９＜（ｆ３−ｆ４）／（ｆ３＋ｆ４）  ＜１．１２という関係式を満たし、
前記第３のレンズのアッベ数はｖ３であり、前記第３のレンズの屈折率はｎ３であり、前記第４のレンズの屈折率はｎ４であり、前記第３のレンズの厚さはＴ３であり、前記撮像光学レンズの光学全長はＴＴＬであり、前記第４のレンズの厚さはＴ４であり、以下の関係式を満たすことを特徴とする撮像光学レンズ。
１７＜ｖ３／ｎ３＜２０、１．０８＜ｎ３／ｎ４＜１．２０、
０．０３５＜Ｔ３／ＴＴＬ＜０．０５、０．２０＜Ｔ３／Ｔ４＜０．２８。
【請求項２】
前記第１のレンズの焦点距離ｆ１、前記第２のレンズの焦点距離ｆ２、前記第３のレンズの焦点距離ｆ３、前記第４のレンズの焦点距離ｆ４、及び前記第５のレンズの焦点距離ｆ５は、以下の関係式を満たし、ｆ１―ｆ５の単位はミリメートル（ｍｍ）であることを特徴とする請求項１に記載の撮像光学レンズ。
２．８＜ｆ１  ＜３．０、−７．５＜ｆ２  ＜−６．７、
−５２＜ｆ３＜−４１、２．２＜ｆ４＜２．４、
−１．９＜ｆ５＜−２．０。
【請求項３】
前記第３のレンズの屈折率ｎ３は、ｎ３＞１．６７という関係式を満たすこ  とを特徴とする請求項１に記載の撮像光学レンズ。
【請求項４】
前記第１のレンズの屈折率ｎ１、前記第２のレンズの屈折率ｎ２、前記第３のレンズの屈折率ｎ３、前記第４のレンズの屈折率ｎ４、及び前記第５のレンズの屈折率ｎ５は、以下の関係式を満たすことを特徴とする請求項１に記載の撮像光学レンズ。
１．５２＜ｎ１＜１．５６、１．６３＜ｎ２＜１．６８、
１．６８＜ｎ３＜１．７２、１．５２＜ｎ４＜１．５６、
１．５２＜ｎ５＜１．５６。  
【請求項５】
前記第１のレンズのアッベ数ｖ１、前記第２のレンズのアッベ数ｖ２、前記第３のレンズのアッベ数ｖ３、前記第４のレンズのアッベ数ｖ４、及び前記第５のレンズのアッベ数ｖ５は、以下の関係式を満たすことを特徴とする請求項１に記載の撮像光学レンズ。
５０＜ｖ１＜６０、２０＜ｖ２  ＜２３、
３０＜ｖ３＜３２、５０＜ｖ４＜６０、５０＜ｖ５＜６０。
【請求項６】
撮像光学レンズの光学全長ＴＴＬは、４．４ｍｍ≦ＴＴＬ≦４．５ｍｍという関係式を満たすことを特徴とする請求項１に記載の撮像光学レンズ。
【請求項７】
撮像光学レンズの絞りＦ値は、２．０８以下であることを特徴とする請求項１に記載の撮像光学レンズ。
【請求項８】
前記第１のレンズのアッベ数ｖ１、及び前記第３のレンズのアッベ数ｖ３は、１８＜Ｖ１−Ｖ３＜２８という係式を満たすことを特徴とする請求項１に記載の撮像光学レンズ。
【請求項９】
前記第２のレンズの厚さＴ２、及び第３のレンズの厚さＴ３は、１．１０＜Ｔ２／Ｔ３＜１．２０という関係式を満たすことを特徴とする請求項１に記載の撮像光学レンズ。
【請求項１０】
前記第１のレンズ、前記第２のレンズ、前記第４のレンズ及び前記第５のレンズの材質は、ブラスチックであり、前記第３のレンズの材質は、ガラスであることを特徴とする請求項１に記載の撮像光学レンズ。